(57)【要約】【課題】容易に病気の診断を適切に行うことが可能なコンピュータシステム、診断方法及びプログラムを提供することを目的とする。【解決手段】病気の診断をするコンピュータシステムは、ユーザへの問診のための第一次問診データを出力し、前記第一次問診データに対する第一次回答データを受け付け、前記第一次回答データに基づいて、第一次診断を行い、前記第一次診断に関連付いた所定時間が経過した際に、前記第一次診断に関連付いた第二次問診データを出力する。【選択図】図１
2019130493.tif 000002
【特許請求の範囲】
【請求項１】
病気の診断をするコンピュータシステムであって、
ユーザへの問診のための第一次問診データを出力する第一次問診出力手段と、
前記第一次問診データに対する第一次回答データを受け付ける第一次回答受付手段と、
前記第一次回答データに基づいて、第一次診断を行う第一次診断手段と、
前記第一次診断に関連付いた所定時間が経過した際に、前記第一次診断に関連付いた第二次問診データを出力する第二次問診出力手段と、
を備えることを特徴とするコンピュータシステム。
【請求項２】
前記第二次問診データに対する第二次回答データを受け付ける第二次回答受付手段と、
前記第二次回答データに基づいて、第二次診断を行う第二次診断手段と、
をさらに備えることを特徴とする請求項１に記載のコンピュータシステム。
【請求項３】
病気の診断をするコンピュータシステムが実行する診断方法であって、
ユーザへの問診のための第一次問診データを出力するステップと、
前記第一次問診データに対する第一次回答データを受け付けるステップと、
前記第一次回答データに基づいて、第一次診断を行うステップと、
前記第一次診断に関連付いた所定時間が経過した際に、前記第一次診断に関連付いた第二次問診データを出力するステップと、
を備えることを特徴とする診断方法。
【請求項４】
病気の診断をするコンピュータシステムに、
ユーザへの問診のための第一次問診データを出力するステップ、
前記第一次問診データに対する第一次回答データを受け付けるステップ、
前記第一次回答データに基づいて、第一次診断を行うステップ、
前記第一次診断に関連付いた所定時間が経過した際に、前記第一次診断に関連付いた第二次問診データを出力するステップ、
を実行させるためのコンピュータ読み取り可能なプログラム。
【発明の詳細な説明】
【技術分野】
【０００１】
本発明は、病気の診断をするコンピュータシステム、診断方法及びプログラムに関する。
【背景技術】
【０００２】
近年、スマートフォンやタブレット端末等の端末装置にインストールしたアプリケーションを利用し、ユーザの病状の診断を行うことが行われている。【０００３】
このような診断として、ユーザのバイタルサイン、既往歴、年齢等の様々な情報を利用して病状を診断する構成が開示されている（特許文献１参照）。
【先行技術文献】
【特許文献】
【０００４】
【特許文献１】特開２０１７−１３１４９５号公報
【発明の概要】
【発明が解決しようとする課題】
【０００５】
しかしながら、特許文献１の構成では、診断時点における病状を診断するものに過ぎず、特に、時間経過が病状の診断に有効な場合にあっては、適切な診断を行うことが困難な場合があった。【０００６】
本発明の目的は、容易に病気の診断を適切に行うことが可能なコンピュータシステム、診断方法及びプログラムを提供することを目的とする。
【課題を解決するための手段】
【０００７】
本発明では、以下のような解決手段を提供する。【０００８】
本発明は、病気の診断をするコンピュータシステムであって、
ユーザへの問診のための第一次問診データを出力する第一次問診出力手段と、
前記第一次問診データに対する第一次回答データを受け付ける第一次回答受付手段と、
前記第一次回答データに基づいて、第一次診断を行う第一次診断手段と、
前記第一次診断に関連付いた所定時間が経過した際に、前記第一次診断に関連付いた第二次問診データを出力する第二次問診出力手段と、
を備えることを特徴とするコンピュータシステムを提供する。【０００９】
本発明によれば、病気の診断をするコンピュータシステムは、ユーザへの問診のための第一次問診データを出力し、前記第一次問診データに対する第一次回答データを受け付け、前記第一次回答データに基づいて、第一次診断を行い、前記第一次診断に関連付いた所定時間が経過した際に、前記第一次診断に関連付いた第二次問診データを出力する。【００１０】
ここで、本発明は、コンピュータシステムのカテゴリであるが、方法又はプログラム等の他のカテゴリにおいても、そのカテゴリに応じた同様の作用・効果を発揮する。
【発明の効果】
【００１１】
本発明によれば、容易に病気の診断を適切に行うことが可能なコンピュータシステム、診断方法及びプログラムを提供することが可能となる。
【図面の簡単な説明】
【００１２】
【図１】図１は、診断システム１の概要を示す図である。
【図２】図２は、診断システム１の全体構成図である。
【図３】図３は、情報端末１００の機能ブロック図である。
【図４】図４は、情報端末１００が実行する診断処理を示すフローチャートである。
【図５】図５は、情報端末１００が実行する診断処理を示すフローチャートである。
【図６】図６は、第一次回答データを受け付けた状態の一例を示す図である。
【図７】図７は、確定診断結果表示画面の一例を示す図である。
【図８】図８は、確定診断結果表示画面の一例を示す図である。
【図９】図９は、一時診断結果表示画面の一例を示す図である。
【発明を実施するための形態】
【００１３】
以下、本発明を実施するための最良の形態について、図を参照しながら説明する。なお、これはあくまでも一例であって、本発明の技術的範囲はこれに限られるものではない。
【００１４】
［診断システム１の概要］
本発明の好適な実施形態の概要について、図１に基づいて説明する。図１は、本発明の好適な実施形態である診断システム１の概要を説明するための図である。診断システム１は、情報端末１００から構成され、病気の診断をするコンピュータシステムである。
【００１５】
なお、図１において、情報端末１００は、１つに限らず複数であってもよい。また、情報端末１００は、実在する装置に限らず仮想的な装置であってもよい。また、診断システム１は、図示していないコンピュータや端末装置等の外部装置を有し、これらと通信端末１００とがデータ通信可能に接続される構成であってもよい。
【００１６】
情報端末１００は、自身にインストールされたアプリケーションを利用して、ユーザの病気を診断することが可能な端末装置である。このようなアプリケーションにおいて、情報端末１００は、ユーザのバイタルサイン、既往歴、投薬歴、症状等の様々なデータを取得することにより、診断を実行する。情報端末１００は、例えば、携帯電話、携帯情報端末、タブレット端末、パーソナルコンピュータに加え、ネットブック端末、スレート端末、電子書籍端末、携帯型音楽プレーヤ等の電化製品や、スマートグラス、ヘッドマウントディスプレイ等のウェアラブル端末や、その他の物品である。
【００１７】
なお、上述したアプリケーションによる診断は、このような構成に限らず、適宜変更可能であり、要点としては、ユーザから受け付けた入力内容に基づいて、該当する一又は複数の病気を特定することが可能であればよい。
【００１８】
はじめに、情報端末１００は、ユーザへの問診のための第一次問診データを出力する（ステップＳ０１）。情報端末１００は、例えば、症状が発生している部位である患部（頭、顔、首、耳、目、口、腕等の身体の一部又は全部）及び実際の症状の内容に関する質問を、第一次問診データとして出力する。このとき、情報端末１００は、上述した質問を、複数の選択肢として出力してもよいし、仮想的なキーボードによる入力や音声入力をユーザへ促すためのテキストボックスを出力してもよい。情報端末１００は、第一次問診データを、自身が有する表示部に表示することにより出力する。
【００１９】
情報端末１００は、この第一次問診データに対する回答を示す第一次回答データを受け付ける（ステップＳ０２）。情報端末１００は、例えば、上述した選択肢に対する選択入力、仮想的なキーボードによる文字入力又はユーザからの音声による音声入力を受け付けることにより、第一次回答データを受け付ける。なお、情報端末１００は、自身が有する撮影装置によりユーザが患部を撮影した患部画像を、第一次回答データとして受け付けてもよい。この場合、後述する第一次診断において、画像解析により、患部及びその症状を診断すればよい。
【００２０】
情報端末１００は、受け付けた第一次回答データに基づいて、第一次診断を行う（ステップＳ０３）。情報端末１００は、受け付けた第一次回答データにおける患部及びこの患部の症状に該当する病気を、患部及び症状を登録した病気データベースに基づいて、特定することにより、第一次診断を行う。この病気データベースは、患部及び症状に該当する病気の病名と、対処方法と、時間経過に伴う経過観察の必要性の有無と、経過観察が必要な場合における問診内容とが対応付けられて登録されたものである。
【００２１】
情報端末１００は、第一次診断の結果、一の病気を特定した場合、この病気の病名を確定診断結果として、ユーザに通知する。一方、情報端末１００は、複数の病気を特定した場合、これらの病名を一時的な診断結果として、ユーザに通知する。情報端末１００は、時間経過に伴う経過観察が必要な病気を特定していた場合、診断結果を確定するために必要な観察時間（経過観察に伴う時間）を一時的な診断結果と合わせてユーザに通知する。
【００２２】
情報端末１００は、第一次診断に関連付いた所定時間が経過した際に、第一次診断に関連付いた第二次問診データを出力する（ステップＳ０４）。情報端末１００は、上述した観察時間が経過した際に、アプリケーションを起動し、第一次診断に関連付いた第二次診断データを出力する。情報端末１００は、例えば、症状の変化、症状の内容に関する質問を、第二次問診データとして出力する。このとき、情報端末１００は、上述した質問を、複数の選択肢として出力してもよいし、仮想的なキーボードによる入力や音声入力をユーザへ促すためのテキストボックスを出力してもよい。情報端末１００は、第二次問診データを、自身が有する表示部に表示することにより出力する。
【００２３】
情報端末１００は、この第二次問診データに対する回答を示す第二次回答データを受け付ける（ステップＳ０５）。情報端末１００は、上述した第一次回答データと同様に、選択入力、文字入力又は音声入力を受け付けることにより、第二次回答データを受け付ける。なお、情報端末１００は、第一次回答データと同様に、撮影装置により撮影した患部画像を、第二次回答データとして受け付けてもよい。この場合、後述する第二次診断において、画像解析により、患部及びその症状を診断すればよい。
【００２４】
情報端末１００は、受け付けた第二次回答データに基づいて、第二次診断を行う（ステップＳ０６）。情報端末１００は、今回受け付けた第二次回答データにおける患部の症状に該当する病気を、病気データベースを参照することにより、第二次診断を行う。情報端末１００は、第二次診断の結果、特定した病気の病名を、確定診断結果とし、ユーザに通知する。
【００２５】
以上が、診断システム１の概要である。
【００２６】
なお、上述した各処理は、必ずしも情報端末１００単体により実行する構成でなくてもよい。例えば、診断システム１は、情報端末１００が、図示していないコンピュータや他の端末装置等の外部装置に、第一次回答データや第二次回答データを送信し、外部装置が、第一次診断や第二次診断を実行し、診断結果を情報端末１００に出力する構成であってもよい。また、診断システム１は、上述した各処理の何れか又は複数の処理を、情報端末１００又は外部装置の何れか又は双方が実行してもよい。
【００２７】
［診断システム１のシステム構成］
図２に基づいて、本発明の好適な実施形態である診断システム１のシステム構成について説明する。図２は、本発明の好適な実施形態である診断システム１のシステム構成を示す図である。診断システム１は、情報端末１００から構成されるコンピュータシステムである。なお、情報端末１００は、１つに限らず、複数であってもよい。また、情報端末１００は、実在する装置に限らず、仮想的な装置であってもよい。また、公衆回線網等により図示していないコンピュータや他の端末装置等の外部装置と通信可能に接続されていてもよい。
【００２８】
情報端末１００は、後述の機能を備えた上述した端末装置である。
【００２９】
［各機能の説明］
図３に基づいて、本発明の好適な実施形態である診断システム１の機能について説明する。図３は、情報端末１００の機能ブロック図を示す図である。
【００３０】
情報端末１００は、制御部１１０として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、図示していない通信部として、他の機器と通信可能にするためのデバイス、例えば、ＩＥＥＥ８０２．１１に準拠したＷｉＦｉ（Ｗｉｒｅｌｅｓｓ  Ｆｉｄｅｌｉｔｙ）対応デバイスを備える。また、情報端末１００は、記憶部１３０として、ハードディスクや半導体メモリ、記録媒体、メモリカード等によるデータのストレージ部を備える。情報端末１００は、記憶部１３０に後述する病気データベースを記憶する。また、情報端末１００は、入出力部１４０として、制御部１１０で制御したデータや画像等を出力表示する表示部や、ユーザからの入力を受け付けるタッチパネルやキーボード、マウス等の入力部等の各種デバイスを備える。
【００３１】
情報端末１００において、制御部１１０が所定のプログラムを読み込むことにより、記憶部１３０と協働して、記憶モジュール１６０を実現する。また、情報端末１００において、制御部１１０が所定のプログラムを読み込むことにより、入出力部１４０と協働して、アプリケーションモジュール１７０、第一次問診出力モジュール１７１、第一次回答受付モジュール１７２、第一次診断モジュール１７３、診断結果通知モジュール１７４、第二次問診出力モジュール１７５、第二次回答受付モジュール１７６、第二次診断モジュール１７７を実現する。
【００３２】
［診断処理］
図４に基づいて、診断システム１が実行する診断処理について説明する。図４は、情報端末１００が実行する診断処理のフローチャートを示す図である。上述した各モジュールが実行する処理について、本処理に併せて説明する。
【００３３】
はじめに、アプリケーションモジュール１７０は、診断用アプリケーションを起動する（ステップＳ１０）。ステップＳ１０において、アプリケーションモジュール１７０は、ユーザからのタップ入力や音声入力等による起動入力を受け付けることにより、該当する診断用アプリケーションを起動する。以下の各処理は、アプリケーションが実際の処理を実行していくものとして説明する。
【００３４】
第一次問診出力モジュール１７１は、患部や該当患部における症状に関する複数の選択肢や質問、ユーザから患部や該当患部における症状の直接入力を受け付けるテキストボックス等を、第一次問診データとして出力する（ステップＳ１１）。ステップＳ１１において、第一次問診出力モジュール１７１は、第一次問診データを、表示部に表示する。
【００３５】
なお、第一次問診出力モジュール１７１は、第一次問診データを、音声出力等により出力してもよい。
【００３６】
第一次回答受付モジュール１７２は、第一次問診データに対する回答を、第一次回答データとして受け付ける（ステップＳ１２）。ステップＳ１２において、第一次回答受付モジュール１７２は、上述した選択肢に対する選択入力、仮想的なキーボードによる文字入力又はユーザからの音声による音声入力等を受け付けることにより、第一次回答データを受け付ける。
【００３７】
なお、第一次回答受付モジュール１７２は、撮影装置等により患部を撮影した患部画像を、第一次回答データとして受け付けてもよい。この場合、情報端末１００は、後述する第一次診断の処理において、画像解析を行い、患部及びこの患部における症状を特定し、特定した結果に基づいて診断を行えばよい。
【００３８】
図６に基づいて、第一次回答受付モジュール１７２が受け付ける第一次回答データについて説明する。図６は、第一次回答データを受け付けた状態の一例を示す図である。図６において、第一次問診出力モジュール１７１は、第一次問診表示領域２００を表示し、第一次回答受付モジュール１７２は、第一次回答受付領域２１０、診断アイコン２２０を表示する。第一次問診表示領域２００は、上述した第一次問診を表示する領域である。図６において、第一次問診出力モジュール１７１は、第一次問診表示領域２００に、「患部はどこですか？」、「どのような症状ですか？」、「大きさはどのくらいですか？」を表示する。第一次回答受付領域２１０には、ユーザが入力した「手がかぶれている」、「大きさは数ｃｍ程度」を表示する。第一次問診出力モジュール１７１は、この第一次問診表示領域２００に、ユーザから受け付けた第一次回答に基づいて、新たな問診内容を追加的に表示する。具体的には、はじめに、第一次問診出力モジュール１７１は、第一次問診表示領域２００に、患部及びその症状に対する質問を表示する。第一次回答受付モジュール１７２が、これに対してユーザから「手がかぶれている」との入力を受け付けた場合、テキスト解析を行うことにより、入力内容を確認し、患部及び症状を特定する。第一次問診出力モジュール１７１は、特定した結果に基づいて、実際の病気を特定するための問診が必要である場合、さらなる問診を、第一次問診表示領域２００に表示する。本実施形態では、「大きさはどのくらいですか？」が追加的に表示した新たな問診内容に該当する。第一次回答受付モジュール１７２は、この問診の回答として入力を受け付けた「大きさは数ｃｍ程度」を、第一次回答受付領域２１０に表示する。第一次回答受付モジュール１７２は、診断アイコン２２０への入力操作を受け付けることにより、入力の完了を検出し、第一次診断モジュール１７３は、後述する第一次診断を実行する。
【００３９】
第一次診断モジュール１７３は、受け付けた第一次回答データに基づいて、第一次診断を行う（ステップＳ１３）。ステップＳ１３において、第一次診断モジュール１７３は、受け付けた第一次回答データにおける患部及びこの患部における症状に該当する病気を診断する。第一次診断モジュール１７３は、患部及び症状と、これに該当する病気の病名と、対処方法と、時間経過に伴う経過観察の必要性の有無と、経過観察が必要な場合における問診内容とが対応付けられて登録された病気データベースに基づいて病気を診断する。病気データベースは、予め記憶モジュール１６０に記憶されている。
【００４０】
［病気データベース］
記憶モジュール１６０が記憶する病気データベースについて説明する。記憶モジュール１６０は、外部データベースや外部装置等から、予め取得した病気データベースを記憶しておく。これは、診断用アプリケーションに格納されたものであってもよい。病気データベースは、上述した通り、患部及びこの患部における症状と、実際の病気の病名と、対処方法（例えば、治療薬、療法）と、危険度（例えば、早期治療が必要な病気には高い数値、慢性化した場合危険な病気には中程度の数値、自然治癒する病気には低い数値）と、経過観察の必要性（例えば、数時間後でも症状がみられるものである場合必要性がある）と、経過観察が必要である場合における問診内容（例えば、二時間後に問診を行う必要性があり、その内容は症状がまだ見られますか）とが対応付けられている
【００４１】
第一次診断モジュール１７３は、上述した例において、患部として「腕」、その症状として「かぶれ」、その大きさとして「数ｃｍ」との第一次回答データに基づいて、これらの患部及び症状に対応付けられた病気を、病気データベースを参照して特定する。今回、第一次診断モジュール１７３は、該当する病気を、「アレルギー性湿疹」又は「蕁麻疹」であるものと特定する。さらに、第一次診断モジュール１７３は、これらの病気には、病気の特定に経過観察の必要性があり、観察後の問診内容が関連付けられていることを特定する。
【００４２】
第一次診断モジュール１７３は、診断の結果、一の病気を特定できたか否かを判断する（ステップＳ１４）。ステップＳ１４において、第一次診断モジュール１７３は、上述した病気の診断の結果が、一の病気のみであるか、複数の病気であるかを判断する。
【００４３】
ステップＳ１４において、第一次診断モジュール１７３は、一の病気を特定できたと判断した場合（ステップＳ１４  ＹＥＳ）、すなわち、第一次回答データに基づいた診断の結果得られた病気が一つであった場合、診断結果通知モジュール１７４は、この病気の病名、対処方法及び危険度を確定診断結果として出力する（ステップＳ１５）。ステップＳ１５において、診断結果通知モジュール１７４は、この確定診断結果を表示部に表示することにより、出力し、ユーザに通知する。
【００４４】
図７に基づいて、診断結果通知モジュール１７４が表示する確定診断結果表示画面の一例について説明する。図７は、診断結果通知モジュール１７４が表示する確定診断結果表示画面の一例を示す図である。図７において、診断結果通知モジュール１７４は、確定診断結果表示画面として、診断結果表示領域３００、終了アイコン３１０を表示する。診断結果表示領域３００は、確定診断結果を表示する領域である。診断結果通知モジュール１７４は、今回の診断の結果を、診断結果表示領域３００に表示する。図７では、病気の病名を表示、この病気の可能性を５段階評価として表示、この病気の対処方法を表示、この病気の危険度を１０段階評価として表示している。診断結果通知モジュール１７４は、終了アイコン３１０への入力操作を受け付けることにより、表示の完了を検出し、確定診断結果の表示を終了する。
【００４５】
一方、ステップＳ１４において、第一次診断モジュール１７３は、一の病気を特定できなかったと判断した場合（ステップＳ１４  ＮＯ）、すなわち、第一次回答データに基づいた診断の結果得られた病気が複数であった場合、第一次診断モジュール１７３は、其々の病気に対して、時間経過による再診断が必要であるか否かを判断する（ステップＳ１６）。ステップＳ１６において、第一次診断モジュール１７３は、今回特定した其々の病気に対して、病気データベースにおいて経過観察の必要性が登録されているか否かを判断することにより、再診断の必要性を判断する。
【００４６】
ステップＳ１６において、第一次診断モジュール１７３は、再診断の必要性がないと判断した場合（ステップＳ１６  ＮＯ）、診断結果通知モジュール１７４は、これら複数の病気の病名、この病気の可能性、対処方法及び危険度を確定診断結果として出力する（ステップＳ１７）。ステップＳ１７において、診断結果通知モジュール１７４は、この確定診断結果を、表示部に表示することにより、出力し、ユーザに通知する。病気の可能性とは、第一次回答データに基づいて各病気に該当する程度を所定の数の段階で評価するものである。
【００４７】
なお、診断結果通知モジュール１７４は、この確定診断結果のうち、最も危険度が高い病気のみ又は最も可能性が高い病気のみを、確定診断結果として出力してもよい。また、診断結果通知モジュール１７４は、確定診断結果として出力した其々の病気に対して、早期治療の必要性や、早期に診察を受けるような表示等のユーザに対する注意喚起を合わせて出力してもよい。
【００４８】
図８に基づいて、診断結果通知モジュール１７４が表示する確定診断結果表示画面の一例について説明する。図８は、診断結果通知モジュール１７４が表示する確定診断結果表示画面の一例を示す図である。図８において、診断結果通知モジュール１７４は、確定診断結果表示画面として、診断結果表示領域４００、終了アイコン４１０を表示する。診断結果表示領域４００は、上述した診断結果表示領域３００と同様の領域であり、複数の病気を其々確定診断結果として表示する領域である。図８では、其々の、病気の病名を表示、この病気の可能性を５段階評価として表示、この病気の対処方法を表示、この病気の危険度を１０段階評価として表示している。診断結果通知モジュール１７４は、終了アイコン４１０への入力操作を受け付けることにより、表示の完了を検出し、確定診断結果の表示を終了する。
【００４９】
一方、ステップＳ１６において、第一次診断モジュール１７３は、再診断の必要性があると判断した場合（ステップＳ１６  ＹＥＳ）、すなわち、時間経過に伴う経過観察が必要な病気が特定されていた場合、診断結果通知モジュール１７４は、一時的な診断として、複数の病気及び所定時間後に再診断を行う必要がある旨の通知を出力する（ステップＳ１８）。ステップＳ１８において、診断結果通知モジュール１７４は、一時的な診断として、複数の病気の其々の病名、可能性、対処方法及び危険度を出力するとともに、これらの病気の何れかであるかを特定するために必要な観察時間及びこの観察時間経過後に再度診断を行う必要があり、ユーザに対して所定時間経過後に通知することを示すメッセージを出力する。診断結果通知モジュール１７４は、この一時的な診断結果を、表示部に表示することにより、出力し、ユーザに通知する。
【００５０】
図９に基づいて、診断結果通知モジュール１７４が表示する一時診断結果表示画面の一例について説明する。図９は、診断結果通知モジュール１７４が表示する一時診断結果表示画面の一例を示す図である。図９において、診断結果通知モジュール１７４は、一時診断結果表示画面として、診断結果表示領域５００、再通知表示領域５１０、終了アイコン５２０を表示する。診断結果表示領域５００は、一時診断結果を表示する領域である。診断結果通知モジュール１７４は、今回の一時的な診断の結果を、診断結果表示領域５００に表示する。図９では、上述した確定診断結果表示領域４００と同様に、病名、可能性、対処方法、危険度を表示している。再通知表示領域５１０は、病気を特定するために必要な観察時間及びこの観察時間経過後に再度診断を行う旨の通知を行うことを示すメッセージを表示する領域である。観察時間が、病気毎に異なっている場合、其々の観察時間毎にメッセージを表示させる。
【００５１】
アプリケーションモジュール１７０は、観察時間が経過したか否かを判断する（ステップＳ１９）。ステップＳ１９において、アプリケーションモジュール１７０は、ステップＳ１８の処理により出力した再診断に必要な所定時間が経過したか否かを判断する。アプリケーションモジュール１７０は、時計アプリケーションや内臓時計等を参照することにより、所定時間の経過を判断する。
【００５２】
ステップＳ１９において、アプリケーションモジュール１７０は、観察時間が経過していないと判断した場合（ステップＳ１９  ＮＯ）、観察時間が経過するまで待機する。
【００５３】
一方、ステップＳ１９において、アプリケーションモジュール１７０は、観察時間が経過したと判断した場合（ステップＳ１９  ＹＥＳ）、アプリケーションモジュール１７０は、表示部等に観察時間が経過し、再診断を行う必要がある旨の通知を出力する（ステップＳ２０）。ステップＳ２０において、アプリケーションモジュール１７０は、プッシュ通知機能等を利用することにより、再診断を行う必要がある旨のメッセージを出力し、ユーザに対して、診断用アプリケーションの起動を促す。また、アプリケーションモジュール１７０は、音声出力や振動機能を利用することにより、ユーザに対して診断用アプリケーションの起動を促す構成であってもよい。
【００５４】
なお、アプリケーションモジュール１７０は、観察時間が経過した時点において、診断用アプリケーションを起動する構成であってもよい。
【００５５】
アプリケーションモジュール１７０は、診断用アプリケーションを再度起動する（ステップＳ２１）。ステップＳ２１において、アプリケーションモジュール１７０は、上述したステップＳ１０の処理と同様に、診断用アプリケーションを起動する。
【００５６】
第二次問診出力モジュール１７５は、第一次診断に関連付いた第二次問診データを出力する（ステップＳ２２）。ステップＳ２２において、第二次問診出力モジュール１７５は、第一次診断に関連付けられた第二次問診データを、表示部に表示することにより出力する。第一次診断に関連付けられた第二次問診データとは、上述した病気データベースに登録された経過観察の必要がある場合における問診内容であり、症状の変化、症状の内容に関する問診である。例えば、二時間経過後に、「湿疹は表れていますか？」との問診内容を、第二次問診データとして出力する。第二次問診出力モジュール１７５は、上述した問診内容を、複数の選択肢の表示、仮想的なキーボードによる文字入力や音声入力をユーザへ促すためのテキストボックスの表示として出力する。
【００５７】
第二次回答受付モジュール１７６は、第二次問診データに対する回答を第二次回答データとして受け付ける（ステップＳ２３）。ステップＳ２３において、第二次回答受付モジュール１７６は、上述した第一次回答データと同様に、選択入力、文字入力又は音声入力を受け付けることにより、第二次回答データを受け付ける。なお、第二次回答受付モジュール１７６は、上述した第一次回答データと同様に、患部画像を第二次回答データとして受け付けてもよい。この場合、第一次診断と同様に、後述する第二次診断において、画像解析により、患部及びその症状を診断すればよい。
【００５８】
第二次診断モジュール１７７は、受け付けた第二次回答データに基づいて、第二次診断を行う（ステップＳ２４）。ステップＳ２４において、第二次診断モジュール１７７は、今回受け付けた第二次回答データにおける患部の症状に該当する病気を、病気データベースを参照することにより、第二次診断を行う。上述した例において、第二次回答受付モジュール１７６は、「湿疹は表れていますか？」との問診に対する回答として、「はい」等の肯定的な回答を受け付けていた場合、第二次診断モジュール１７７は、時間経過に伴い、症状が改善していないことから、一時的な症状ではないと判断し、この病気を、「アレルギー性湿疹」と診断する。また、第二次回答受付モジュール１７６は、「湿疹は表れていますか？」との問診に対する回答として、「いいえ」等の否定的な回答を受け付けていた場合、第二次診断モジュール１７７は、時間経過に伴い、症状が改善していることから、一時的な症状であると判断し、この病気を、「じんましん」と診断する。第二次診断モジュール１７は、このように診断した結果を、第二次診断とする。
【００５９】
このように、第二次診断モジュール１７７は、時間経過に伴い症状が改善されたか否かを主に判断し、複数の病気のうち、今回の病気に該当する病気を特定するものである。
【００６０】
診断結果通知モジュール１７４は、第二次診断の結果を、確定診断結果として、出力する（ステップＳ２５）。ステップＳ２５において、診断結果通知モジュール１７４は、この確定診断結果を表示部に表示することにより、出力し、ユーザに通知する。診断結果通知モジュール１７４は、上述した図７と同様に、確定診断結果表示画面を表示し、診断結果表示領域３００に、今回の診断の結果を表示し、終了アイコン３００への入力操作を受け付けることにより、表示の完了を検出し、確定診断結果の表示を終了する。
【００６１】
以上が、診断処理である。
【００６２】
なお、上述した各処理は、必ずしも情報端末１００単体により実行する構成でなくてもよい。例えば、診断システム１は、情報端末１００が、図示していないコンピュータや他の端末装置等の外部装置に、第一次回答データや第二次回答データを送信し、外部装置が、第一次診断や第二次診断を実行し、診断結果を情報端末１００に出力する構成であってもよい。また、診断システム１は、上述した各処理の何れか又は複数の処理を、情報端末１００又は外部装置の何れか又は双方が実行してもよい。
【００６３】
上述した手段、機能は、コンピュータ（ＣＰＵ、情報処理装置、各種端末を含む）が、所定のプログラムを読み込んで、実行することによって実現される。プログラムは、例えば、コンピュータからネットワーク経由で提供される（ＳａａＳ：ソフトウェア・アズ・ア・サービス）形態で提供される。また、プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００６４】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６５】
１  診断システム、１００  情報端末
【図１】
2019130493.tif 000003
【図２】
2019130493.tif 000004
【図３】
2019130493.tif 000005
【図４】
2019130493.tif 000006
【図５】
2019130493.tif 000007
【図６】
2019130493.tif 000008
【図７】
2019130493.tif 000009
【図８】
2019130493.tif 000010
【図９】
2019130493.tif 000011
【国際調査報告】
2019130493.tif 000012
2019130493.tif 000013